(57)【要約】【課題】乾燥行程で吸気温度、洗濯兼脱水槽への吐き出し温度や洗濯兼脱水槽からの排気温度が異常温度の場合、ヒータの運転を制御して安全性を向上できる洗濯乾燥機の運転制御方法を得る。【解決手段】外箱と、この外箱内に配設する水槽と、該水槽内に回転自在に配設され多数の脱水孔を穿設した洗濯兼脱水槽と、該洗濯兼脱水槽の上面側から洗濯兼脱水槽内に乾燥行程時に温風を供給する送風ファンおよびヒータとからなる温風供給手段とを具備する洗濯乾燥機において、前記送風ファンとヒータとの間に吸気温度センサを設け、乾燥行程において前記吸気温度センサで検出される吸気温度が異常高温温度である第１の設定値以上になった場合、および、吸気温度センサで検出される吸気温度の差がヒータオン直前とヒータオン後とで異常温度である第２の設定値になった場合に、ヒータをオフし送風ファンのみ動作させる送風運転を行う。【選択図】        図１
2004222763.tif 000002
【特許請求の範囲】
【請求項１】
外箱と、この外箱内に配設する水槽と、該水槽内に回転自在に配設され多数の脱水孔を穿設した洗濯兼脱水槽と、該洗濯兼脱水槽の上面側から洗濯兼脱水槽内に乾燥行程時に温風を供給する送風ファンおよびヒータとからなる温風供給手段とを具備する洗濯乾燥機において、前記送風ファンとヒータとの間に吸気温度センサを設け、乾燥行程において前記吸気温度センサで検出される吸気温度が異常高温温度である第１の設定値以上になった場合、および、吸気温度センサで検出される吸気温度の差がヒータオン直前とヒータオン後とで異常温度である第２の設定値になった場合に、ヒータをオフし送風ファンのみ動作させる送風運転を行うことを特徴とする洗濯乾燥機の運転制御方法。
【請求項２】
前記送風運転後、エラー表示することを特徴とする請求項１記載の洗濯乾燥機の運転制御方法。
【請求項３】
外箱と、この外箱内に配設する水槽と、該水槽内に回転自在に配設され多数の脱水孔を穿設した洗濯兼脱水槽と、該洗濯兼脱水槽の上面側から洗濯兼脱水槽内に乾燥行程時に温風を供給する送風ファンおよびヒータとからなる温風供給手段とを具備する洗濯乾燥機において、前記ヒータをオンしての乾燥行程において、排気温度センサを水槽内に設け、前記排気温度センサで検出される洗濯兼脱水槽からの排気温度が異常温度である第３の設定値に達した場合、ヒータをオンオフ運転することを特徴とする洗濯乾燥機の運転制御方法。
【発明の詳細な説明】
【０００１】
【発明の属する技術分野】
本発明は、洗濯物を洗濯兼脱水槽内で脱水後、乾燥させることのできる洗濯乾燥機の運転制御方法に関するものである。
【０００２】
【従来の技術】
脱水行程終了後の乾燥行程で、洗濯兼脱水槽内に加熱装置および送風機より発生する温風を送り、乾燥行程の途中で洗濯兼脱水槽や回転翼を回転させて洗濯物をほぐしながら洗濯物を乾かす洗濯乾燥機がある。
【０００３】
これは、例えば、外箱と、この外箱内に支持された外槽と、この外槽内に回転自在に配置され上面を開口するとともに周壁面に脱水孔を形成した洗濯脱水槽と、この洗濯脱水槽の内底部に配設された回転翼と、乾燥行程時に前記洗濯脱水槽内に温風を供給する温風供給手段とを備え、前記温風供給手段からの温風を前記洗濯脱水槽の上面開口から直接ないしは外槽の上部から前記脱水孔を経て供給するものである。
【０００４】
かかる構成の洗濯乾燥機では、洗い行程、すすぎ行程、脱水行程と洗濯運転が自動的に進行し、脱水行程終了後に乾燥工程に移行すると、この乾燥行程では、温風発生装置が作動して温風が発生し、この温風は洗濯脱水槽内に流れ込む。そして、洗濯脱水槽内底面にある回転翼上面に置かれる水分を含んだ洗濯物と接触して水分を気化させる。洗濯物の水分を含んで湿度の高くなった温風は、洗濯脱水槽の上方へと案内され、その上面開口から排気孔を経て外箱外に排気される。
【０００５】
以上の動作を所定時間実施して洗濯物を乾かす乾燥行程を行う（例えば特許文献１参照）。
【０００６】
【特許文献１】
特開平１０−２１６３９６号公報
【０００７】
【発明が解決しようとする課題】
乾燥行程では前記のようにヒータをオンするとともに送風ファンを動作させて温風を洗濯兼脱水槽内に供給するが、この場合、洗濯兼脱水槽からの排気が吸気口に吸い込まれたり（いわゆるショートサイクル）、ビルトイン設置のときは閉鎖空間に洗濯乾燥機が設置されることになるため、吸気温度が異常に上昇する。また、外気を外箱内に取り込む吸気口に配設してあるフィルターが埃詰まりするなどして風量が低下した場合も、洗濯兼脱水槽への吐き出し温度が異常に上昇する。
【０００８】
さらに、洗濯兼脱水槽からの排気温度についても、前記のように吸気温度や吐き出し温度が上昇すると、これに追随して洗濯兼脱水槽からの排気温度も異常に上昇し、特に、乾燥行程の終了段階では乾燥が進行し、衣類に含まれている水分が減少するために、排気温度が大きく上昇する。
【０００９】
このため、乾燥運転中に熱による部品の変形や性能低下などが発生しやすい。
【００１０】
本発明の目的は前記従来例の不都合を解消し、乾燥行程で吸気温度、洗濯兼脱水槽への吐き出し温度や洗濯兼脱水槽からの排気温度が異常温度の場合、ヒータの運転を制御して安全性を向上できる洗濯乾燥機の運転制御方法を提供することにある。
【００１１】
【課題を解決するための手段】
本発明は前記目的を達成するため、第１に、外箱と、この外箱内に配設する水槽と、該水槽内に回転自在に配設され多数の脱水孔を穿設した洗濯兼脱水槽と、該洗濯兼脱水槽の上面側から洗濯兼脱水槽内に乾燥行程時に温風を供給する送風ファンおよびヒータとからなる温風供給手段とを具備する洗濯乾燥機において、前記送風ファンとヒータとの間に吸気温度センサを設け、乾燥行程において前記吸気温度センサで検出される吸気温度が異常高温温度である第１の設定値以上になった場合、および、吸気温度センサで検出される吸気温度の差がヒータオン直前とヒータオン後とで異常温度である第２の設定値になった場合に、ヒータをオフし送風ファンのみ動作させる送風運転を行う。
【００１２】
これにより、吸気温度が異常に上昇したときは、送風ファンの動作のみによる送風運転となるから、機内の温度が異常高温となることなく、熱による部品変形や性能低下を防止でき、安全性が向上する。
【００１３】
第２に、外箱と、この外箱内に配設する水槽と、該水槽内に回転自在に配設され多数の脱水孔を穿設した洗濯兼脱水槽と、該洗濯兼脱水槽の上面側から洗濯兼脱水槽内に乾燥行程時に温風を供給する送風ファンおよびヒータとからなる温風供給手段とを具備する洗濯乾燥機において、前記ヒータをオンしての乾燥行程において、排気温度センサを水槽内に設け、前記排気温度センサで検出される洗濯兼脱水槽からの排気温度が異常温度である第３の設定値に達した場合、ヒータをオンオフ運転する。
【００１４】
これにより、乾燥行程の特に最終段階で乾燥が進行し、衣類に含まれている水分が減少することによって、排気温度が大きく上昇しても、絶対値である第３の設定値以上には排気温度が温度上昇することがないから、熱による部品変形や性能低下を防止でき、安全性が向上する。
【００１５】
【発明の実施の形態】
以下、図面について本発明の実施の形態を詳細に説明する。図１は本発明の運転制御方法の実施形態を示す乾燥行程図、図２は本発明方法が実施される洗濯乾燥機の全体説明図で、洗濯乾燥機の全体構成から説明すると、外箱１内に水槽２を搖動自在に配設し、該水槽２内に底部に回転翼３を配設するとともに周壁に多数の脱水孔５を穿設した洗濯兼脱水槽４を設けた。
【００１６】
図中６は洗濯兼脱水槽４の上部に取り付けたバランサ、７は洗濯兼脱水槽４や回転翼３を回転させるためのモータを示す。また、前記外箱１の上部の開口にフタ８を備えたトップパネル９を取り付ける。
【００１７】
かかる構成に加えて、洗濯兼脱水槽４内の衣類を乾燥させるための手段を設ける。温風の供給手段としては、外箱１の側部にフィルター１０を備えた吸気口１１を設け、該吸気口１１の下流側に位置させて外箱１内で水槽２との間にダクト１４を設け、該ダクト１４内に送風ファン１２および加熱手段としてのヒータ１３を順次配設した。図中１５は洗濯兼脱水槽４内に霧状の水（ミスト）を供給するミストノズルを示す。
【００１８】
温風の排出手段としては、水槽２の上部開口に内フタ１６を設け、該内フタ１６にフィルター１７を備えた排出口１８を形成する。そして、該排出口１８の上方位置でトップパネル９に排気口１９を設ける。
【００１９】
そして、サーミスタなどを利用する吸気温度センサ２０を前記フィルター１０と送風ファン１２との間に設け、排気温度センサ２１を水槽２の上部に取り付けられる水槽カバー２ａの下面に取り付ける。
【００２０】
かかる洗濯乾燥機において、洗濯行程の次に行う乾燥行程は、例えば、図１の行程図に示すように、異なる種類の乾燥動作パターンにより第１行程から第３行程に分かれ、例えば衣類の重量が４、５Ｋｇの場合、第１行程では、加熱していない空気を送風する送風エコ乾燥行程であり、洗濯兼脱水槽４を回転しながらヒータ１３には通電せず、送風ファン１２のみを動作させて洗濯兼脱水槽４内に送風し、さらに脱水する。次いで、同様にヒータ１３オフの状態で、回転翼３のみを回転して洗濯兼脱水槽４の壁面にへばりついた衣類を掻き落とす。
【００２１】
第２行程は、洗濯兼脱水槽４を回転させながら、ヒータ１３に通電して温められた温風を送風ファン１２で洗濯兼脱水槽４内に吹き出し、衣類に当てて乾燥させる槽回転乾燥を行う。この場合、洗濯兼脱水槽４の回転数を最初の段階では例えば３００ｒｐｍの高速回転で１分間回転させ、洗濯兼脱水槽４内に収納されている衣類を広げて、洗濯兼脱水槽４の中心に孔を開ける。ここで、３００ｒｐｍの高速回転を１分間と短時間に設定したのは、それ以上の時間行うと衣類が洗濯兼脱水槽４内で外側に偏って押しつぶされた状態になるためである。
【００２２】
次の段階では１５０ｒｐｍの低速回転で１４分間の平板な回転を行い、衣類を乾燥させる。そして、最後に回転翼３のみを７往復回転させて、洗濯兼脱水槽４内で衣類を入れ替える。かかる動作を２回繰り返す。この間、洗濯兼脱水槽４内に供給された温風は、衣類と接触した後、排出口１８から外箱１内に排出され、さらに排気口１９から機体外に排出される。
【００２３】
続く第３行程では、回転翼３を回転させて攪拌乾燥を行う。温風を供給しながら回転翼３を往復回転させながら一定時間乾燥運転を行う。その後、衣類を小刻みに動かし、ほぐしてアンバランスを整え、最後に、３００ｒｐｍの高速回転で洗濯兼脱水槽４を１分間回転させ、衣類を洗濯兼脱水槽４の中央から広げて衣類が絡まないようにする。これを乾燥終了まで繰り返す。
【００２４】
そして、最後に仕上げとして回転翼３を５往復回転させて衣類のほぐし乾燥を行う。
【００２５】
本発明では、前記乾燥行程の第２行程で吸気口１１から吸い込まれる空気の温度を、吸気温度センサ２０により検出する。この第２行程は、洗濯兼脱水槽４を回転させながら、ヒータ１３に通電して温められた温風を送風ファン１２で洗濯兼脱水槽４内に吹き出し、衣類に当てて乾燥させる槽回転乾燥を行うものであるが、かかる運転中、図３のグラフに示すように、吸気温度センサ２０で検出される吸気温度が第１の設定値以上になった場合、ヒータ１３への通電を停止し、送風ファン１２のみを動作させて送風運転を例えば１０分間行い、その後運転を停止する。
【００２６】
前記第１の設定値は、吸気温度が異常高温と判断される例えば５０℃の絶対値として設定される。
【００２７】
また、図４のグラフに示すように、乾燥行程の第２行程に移行しヒータ１３がオンする直前の、ヒータ１３オフの状態のときの吸気温度を吸気温度センサ２０で測定し、この測定値を基準値として設定する。そして、第２行程に移行し、ヒータ１３がオンした後、吸気温度センサ２０で検出される吸気温度が前記基準値と比較としてその差が第２の設定値になった場合は、ヒータ１３への通電を停止し、送風ファン１２のみを動作させて送風運転を行う。
【００２８】
ここで第２設定値は、ヒータ１３オン後の吸気温度が異常高温と判断される基準温度として、例えば３０℃に設定する。
【００２９】
そして、前記送風運転に移行するとともに、洗濯乾燥機に備わっている表示器にエラー表示し、使用者にエラー発生を報知する。
【００３０】
次に乾燥行程が進行して第３行程の攪拌乾燥行程に移行すると、衣類の乾燥が進行し、攪拌乾燥行程の終了段階では洗濯兼脱水槽４から排出される温風の排気温度も上昇してくる。そこで、この排気温度を排気温度センサ２１で検出し、図５のグラフに示すように測定された排気温度が異常高温の基準となる第３の設定値に達した場合、ヒータ１３をオンオフ運転する。
【００３１】
第３の設定値は、例えば絶対値として７０℃に設定される。これにより、衣類の乾燥が進行した攪拌乾燥行程の終了段階で、排気温度が７０℃に達するとヒータ１３がオフし、排気温度が例えば６５℃に低下すれば、再度ヒータ１３をオンして７０℃に達すればヒータ１３をオフする。これを繰り返すことで排気温度が７０℃以上には上昇せず、この７０℃を上限として乾燥行程が進行する。よって、排気温度が７０℃以上の異常温度にまで上昇することを防げる。
【００３２】
【発明の効果】
以上述べたように本発明の洗濯乾燥機の運転制御方法は、第１に、外箱と、この外箱内に配設する水槽と、該水槽内に回転自在に配設され多数の脱水孔を穿設した洗濯兼脱水槽と、該洗濯兼脱水槽の上面側から洗濯兼脱水槽内に乾燥行程時に温風を供給する送風ファンおよびヒータとからなる温風供給手段とを具備する洗濯乾燥機において、前記送風ファンとヒータとの間に吸気温度センサを設け、乾燥行程において前記吸気温度センサで検出される吸気温度が異常高温温度である第１の設定値以上になった場合、および、吸気温度センサで検出される吸気温度の差がヒータオン直前とヒータオン後とで異常温度である第２の設定値になった場合に、ヒータをオフし送風ファンのみ動作させる送風運転を行う。
【００３３】
これにより、吸気温度が異常に上昇したときは、送風ファンの動作のみによる送風運転となるから、機内の温度が異常高温となることなく、熱による部品変形や性能低下を防止でき、安全性が向上する。
【００３４】
第２に、外箱と、この外箱内に配設する水槽と、該水槽内に回転自在に配設され多数の脱水孔を穿設した洗濯兼脱水槽と、該洗濯兼脱水槽の上面側から洗濯兼脱水槽内に乾燥行程時に温風を供給する送風ファンおよびヒータとからなる温風供給手段とを具備する洗濯乾燥機において、前記ヒータをオンしての乾燥行程において、排気温度センサを水槽内に設け、前記排気温度センサで検出される洗濯兼脱水槽からの排気温度が異常温度である第３の設定値に達した場合、ヒータをオンオフ運転する。
【００３５】
これにより、乾燥行程の特に最終段階で乾燥が進行し、衣類に含まれている水分が減少することによって、排気温度が大きく上昇しても、絶対値である第３の設定値以上には排気温度が温度上昇することがないから、熱による部品変形や性能低下を防止でき、安全性が向上する。
【図面の簡単な説明】
【図１】本発明の運転制御方法の実施形態を示す乾燥行程図である。
【図２】本発明の運転制御方法が実施される洗濯乾燥機の説明図である。
【図３】本発明の運転制御方法の実施形態を示す槽回転乾燥行程で検出される吸気温度のグラフである。
【図４】本発明の運転制御方法の実施形態を示す攪拌乾燥行程の初期段階で検出される排気温度のグラフである。
【図５】本発明の運転制御方法の実施形態を示す攪拌乾燥行程の終了段階で検出される排気温度のグラフである。
【符号の説明】
１…外箱              ２…水槽              ２ａ…水槽カバー
３…回転翼            ４…洗濯兼脱水槽      ５…脱水孔
６…バランサ          ７…モータ            ８…フタ
９…トップパネル      １０…フィルター      １１…吸気口
１２…送風ファン      １３…ヒータ          １４…ダクト
１５…ミストノズル    １６…内フタ          １７…フィルター
１８…排出口          １９…排気口          ２０…吸気温度センサ
２１…排気温度センサ
【図１】
2004222763.tif 000003
【図２】
2004222763.tif 000004
【図３】
2004222763.tif 000005
【図４】
2004222763.tif 000006
【図５】
2004222763.tif 000007